(57)【要約】【課題】本発明は、撮像装置、撮像装置の制御方法及び撮像装置の制御方法のプログラムに関し、例えばカメラ一体型ビデオテープレコーダに適用して、ユーザーの混乱を有効に回避して、ヒストグラム表示とゼブラ表示とを同時に実行することによる有意義な情報をユーザーに提供する。【解決手段】本発明は、ゼブラ表示で特定パターンに置き換える輝度レベルをヒストグラム８０上で特定可能にマーカーＭを表示する。【選択図】        図１
2008060866.tif 000002
【特許請求の範囲】
【請求項１】
撮像結果を取得する撮像部と、
前記撮像結果のモニタ画像を表示する表示部と、
前記撮像結果における輝度分布を検出する輝度分布検出部と、
前記撮像結果の輝度レベルを判定する輝度レベル判定部と、
ユーザーの指示に応じて、前記輝度分布検出部の検出結果に基づいて、前記撮像結果の輝度分布を示すヒストグラムを前記表示部で表示すると共に、前記輝度レベル判定部の判定結果に基づいて、前記撮像結果における特定の輝度レベルの領域を特定のパターンに置き換えて、前記表示部で前記モニタ画像を表示する制御部とを有し、
前記制御部は、
前記特定の輝度レベルを前記ヒストグラム上で特定可能に、マーカーを表示する
ことを特徴とする撮像装置。
【請求項２】
前記制御部は、
ユーザーの指示に従って前記特定の輝度レベルを切り換える
ことを特徴とする請求項１に記載の撮像装置。
【請求項３】
前記制御部は、
前記マーカーの表示をユーザーの指示に応じて切り換える
ことを特徴とする請求項１に記載の撮像装置。
【請求項４】
前記撮像結果の明るさを検出し、明るさ検出結果が所定の目標値になるように、前記撮像部を自動絞り制御する絞り制御部を有し、
前記制御部は、
前記ユーザーの指示により、前記目標値を前記ヒストグラム上で特定可能に、目標値のマーカーを表示する
ことを特徴とする請求項１に記載の撮像装置。
【請求項５】
前記絞り制御部は、
ユーザーの指示に応じて前記目標値を切り換える
ことを特徴とする請求項４に記載の撮像装置。
【請求項６】
前記制御部は、
前記撮像結果の明るさが前記所定の基準値に満たない場合、前記ヒストグラムの表示の色を切り換える
ことを特徴とする請求項１に記載の撮像装置。
【請求項７】
撮像部で取得した撮像結果を表示部で表示する撮像装置の制御方法において、
前記撮像結果における輝度分布を検出する輝度分布検出ステップと、
前記撮像結果の輝度レベルを判定する輝度レベル判定ステップと、
ユーザーの指示に応じて、前記輝度分布検出ステップの検出結果に基づいて、前記撮像結果の輝度分布を示すヒストグラムを前記表示部で表示すると共に、前記輝度レベル判定ステップの判定結果に基づいて、前記撮像結果における特定の輝度レベルの領域を特定のパターンに置き換えて、前記表示部で前記モニタ画像を表示する表示ステップとを有し、
前記表示ステップは、
前記特定の輝度レベルを前記ヒストグラム上で特定可能に、マーカーを表示する
ことを特徴とする撮像装置の制御方法。
【請求項８】
撮像部で取得した撮像結果を表示部で表示する撮像装置の制御方法のプログラムにおいて、
前記撮像結果における輝度分布を検出する輝度分布検出ステップと、
前記撮像結果の輝度レベルを判定する輝度レベル判定ステップと、
ユーザーの指示に応じて、前記輝度分布検出ステップの検出結果に基づいて、前記撮像結果の輝度分布を示すヒストグラムを前記表示部で表示すると共に、前記輝度レベル判定ステップの判定結果に基づいて、前記撮像結果における特定の輝度レベルの領域を特定のパターンに置き換えて、前記表示部で前記モニタ画像を表示する表示ステップとを有し、
前記表示ステップは、
前記特定の輝度レベルを前記ヒストグラム上で特定可能に、マーカーを表示する
ことを特徴とする撮像装置の制御方法のプログラム。
【発明の詳細な説明】
【技術分野】
【０００１】
本発明は、撮像装置、撮像装置の制御方法及び撮像装置の制御方法のプログラムに関し、例えばカメラ一体型ビデオテープレコーダに適用することができる。本発明は、ゼブラ表示で特定パターンに置き換える輝度レベルをヒストグラム上で特定可能にマーカーを表示することにより、ユーザーの混乱を有効に回避して、ヒストグラム表示とゼブラ表示とを同時に実行することによる有意義な情報をユーザーに提供する。
【背景技術】
【０００２】
従来、カメラ一体型ビデオテープレコーダ等の撮像装置では、いわゆるゼブラ表示、ヒストグラム表示等の露光制御の確認方法が採用されている。
【０００３】
ここでゼブラ表示は、モニタ画像の表示において、特定輝度レベルの領域を斜め縞模様等の特定パターンで置き換えて表示する方法であり、適正露光の部位、過露光の部位等をモニタ画像上で簡易に確認することができる。具体的に、人物撮影時には、顔の部分が輝度レベル７０〔％〕程度になるように露光制御して適切に人物を撮影できることから、ゼブラ表示において、輝度レベル７０〔％〕前後の領域を斜め縞模様で表示すれば、人物撮影時における適正露光を確認することができる。また輝度レベル１００〔％〕以上の領域を斜め縞模様で表示すれば、白飛びしている部位を簡易に判断することができる。
【０００４】
これに対してヒストグラム表示は、例えば画素単位で輝度レベルを集計して集計結果をヒストグラムで表示するものであり、撮像結果における輝度レベルの分布を簡易に確認することができる。すなわち輝度レベルの高い側に分布が偏っている場合には、全体的に白とび気味の映像であることが判り、またこれとは逆に、輝度レベルの低い側に分布が偏っている場合には、全体的に黒つぶれ気味の映像であることが判る。
【０００５】
特開平９−５１４７２号公報には、ヒストグラム上で最も分布の大きな輝度レベルを判定して逆光か否か判断し、この判定結果を利用して露光制御する方法が提案されている。
【０００６】
ところでヒストグラム表示とゼブラ表示とを同時に実行すれば、ヒストグラム表示、ゼブラ表示をそれぞれ独立して実行する場合に比して、格段的に多くの露光制御に関する情報をユーザーに提供することができると考えられる。
【０００７】
しかしながら単に、ヒストグラム表示とゼブラ表示とを同時に実行した場合、却ってユーザーが混乱する恐れもある。このようなユーザーの混乱を有効に回避して、ヒストグラム表示とゼブラ表示とを同時に実行することによる有意義な情報をユーザーに提供することができれば、ユーザーの使い勝手を一段と向上することができると考えられる。
【特許文献１】特開平９−５１４７２号公報
【発明の開示】
【発明が解決しようとする課題】
【０００８】
本発明は以上の点を考慮してなされたもので、ユーザーの混乱を有効に回避して、ヒストグラム表示とゼブラ表示とを同時に実行することによる有意義な情報をユーザーに提供することができる撮像装置、撮像装置の制御方法及び撮像装置の制御方法のプログラムを提案しようとするものである。
【課題を解決するための手段】
【０００９】
上記の課題を解決するため請求項１の発明は、撮像装置に適用して、撮像結果を取得する撮像部と、前記撮像結果のモニタ画像を表示する表示部と、前記撮像結果における輝度分布を検出する輝度分布検出部と、前記撮像結果の輝度レベルを判定する輝度レベル判定部と、ユーザーの指示に応じて、前記輝度分布検出部の検出結果に基づいて、前記撮像結果の輝度分布を示すヒストグラムを前記表示部で表示すると共に、前記輝度レベル判定部の判定結果に基づいて、前記撮像結果における特定の輝度レベルの領域を特定のパターンに置き換えて、前記表示部で前記モニタ画像を表示する制御部とを有し、前記制御部は、前記特定の輝度レベルを前記ヒストグラム上で特定可能に、マーカーを表示する。
【００１０】
また請求項７の発明は、撮像部で取得した撮像結果を表示部で表示する撮像装置の制御方法に適用して、前記撮像結果における輝度分布を検出する輝度分布検出ステップと、前記撮像結果の輝度レベルを判定する輝度レベル判定ステップと、ユーザーの指示に応じて、前記輝度分布検出ステップの検出結果に基づいて、前記撮像結果の輝度分布を示すヒストグラムを前記表示部で表示すると共に、前記輝度レベル判定ステップの判定結果に基づいて、前記撮像結果における特定の輝度レベルの領域を特定のパターンに置き換えて、前記表示部で前記モニタ画像を表示する表示ステップとを有し、前記表示ステップは、前記特定の輝度レベルを前記ヒストグラム上で特定可能に、マーカーを表示する。
【００１１】
また請求項８の発明は、撮像部で取得した撮像結果を表示部で表示する撮像装置の制御方法のプログラムに適用して、前記撮像結果における輝度分布を検出する輝度分布検出ステップと、前記撮像結果の輝度レベルを判定する輝度レベル判定ステップと、ユーザーの指示に応じて、前記輝度分布検出ステップの検出結果に基づいて、前記撮像結果の輝度分布を示すヒストグラムを前記表示部で表示すると共に、前記輝度レベル判定ステップの判定結果に基づいて、前記撮像結果における特定の輝度レベルの領域を特定のパターンに置き換えて、前記表示部で前記モニタ画像を表示する表示ステップとを有し、前記表示ステップは、前記特定の輝度レベルを前記ヒストグラム上で特定可能に、マーカーを表示する。
【００１２】
請求項１、請求項７又は請求項８の構成によれば、特定の輝度レベルを前記ヒストグラム上で特定可能にマーカーを表示することから、単に輝度分布が輝度レベルの高い側、輝度レベルの低い側に偏っているとの判断だけでなく、いわゆるゼブラ表示している特定輝度レベルを基準にして、輝度レベルの偏り、分布を判定することができる。従って単にヒストグラム表示とゼブラ表示とを同時に実行する場合に比して、ヒストグラム表示とゼブラ表示とを同時に実行することによる有意義な情報をユーザーに提供することができる。またこのマーカーの表示によりヒストグラム表示とゼブラ表示とを関連付けることができ、ユーザーの混乱を有効に回避することができる。
【発明の効果】
【００１３】
本発明によれば、ユーザーの混乱を有効に回避して、ヒストグラム表示とゼブラ表示とを同時に実行することによる有意義な情報をユーザーに提供することができる。
【発明を実施するための最良の形態】
【００１４】
以下、適宜図面を参照しながら本発明の実施例を詳述する。
【実施例１】
【００１５】
（１）実施例の構成
図２（Ａ）及び（Ｂ）は、本発明の実施例１のカメラ一体型ビデオテープレコーダの側面図及び背面図である。なおこの側面図は、レンズを取り外した状態を示すものである。このカメラ一体型ビデオテープレコーダ１は、上面に電子ビューファインダー３が設けられ、背面に着脱可能にバッテリ４を保持する。またカメラ一体型ビデオテープレコーダ１は、背面に、カメラ設定のオート／マニュアル操作を切り換える操作子５、ゲイン調整の操作子６、シャッター速度設定の操作子７、ホワイトバランス調整の操作子８が設けられる。なおこれら操作子６〜８は、操作子５の操作によりマニュアル操作に設定された場合に、操作可能に設定される。またカメラ一体型ビデオテープレコーダ１は、背面に、メニュー画面の表示を指示する操作子９、このメニュー画面でカーソルを移動させ、メニューを選択する押圧操作可能な回転操作子１０が設けられる。また右側面側には、録画開始／停止の操作子１２、電源の操作子１３、ズーム操作の操作子１４、静止画記録を指示する操作子１５が設けられる。
【００１６】
また左側側面には、開閉可能に扉１８が設けられ、この扉１８の内側に液晶表示装置によるモニタ用の表示部１９が設けられる。また左側側面には、このカメラ一体型ビデオテープレコーダ１の光学系の操作をマニュアル操作に切り換えるカメラマニュアル操作子２０、光学系の絞りをマニュアル操作する絞りの操作子２１、オートフォーカスの操作子２２、各種ユーザー設定の操作子２３〜２５、フィルタのオンオフ操作子２６、オートフォーカス調整の領域切り換えの操作子２７、マニュアル操作のフォーカス調整操作子２８が設けられる。また扉１８を閉じた際に、この扉１８で覆われる部位に、再生停止、巻き戻し、再生、早送り、スロー再生等の操作子３０〜３４、一時停止、録画の操作子３５〜３７、音量調整の操作子３８、いわゆるゼブラ表示設定の操作子３９、表示部１９の表示に関する操作子４０、各種ユーザー設定の操作子４１〜４３が設けられる。また扉１８の下には、画質調整プロファイルを選択する操作子５０、カメラの各種ステータスを確認するための操作子５１が設けられる。
【００１７】
ここでユーザー設定の操作子２３〜２５のうちの操作子２３は、自動露光制御の制御目標値を増減させる操作子である。従ってカメラ一体型ビデオテープレコーダ１では、操作子２０を操作して光学系の制御を自動に設定した場合に、この操作子２３を操作して絞り制御の目標値を増減できるように構成される。これに対して操作子２０を操作して光学系の制御をマニュアルに設定した場合、操作子２１を操作して絞り量を直接可変できるように構成される。
【００１８】
またゼブラ表示設定の操作子３９は、ゼブラ表示の停止、輝度レベル７０〔％〕の領域を斜め縞模様表示するゼブラ表示、輝度レベル１００〔％〕以上の領域を斜め縞模様表示するゼブラ表示を選択するスライドスイッチである。従ってこのカメラ一体型ビデオテープレコーダ１では、このゼブラ表示設定の操作子３９を操作して、表示部１９で表示するモニタ画像をゼブラ表示できるように構成される。これに対して操作子９を操作して表示部１９にメニュー画面を表示し、このメニュー画面上でヒストグラム表示のメニューを選択することにより、表示部１９でモニタ画像を表示した際に、このモニタ画像の一部でヒストグラム表示できるように構成される。
【００１９】
図３は、カメラ一体型ビデオテープレコーダ１を示すブロック図である。このカメラ一体型ビデオテープレコーダ１において、撮像素子６１は、例えばＣＭＯＳ（Complementary Metal-Oxide Semiconductor ）センサであり、光学系により撮像面に形成された光学像を光電変換処理して出力する。
【００２０】
カメラ駆動制御部６２は、ＧＵＩ（Graphical User Interface）制御部６３の制御に従ってカメラ映像制御部６４、光学系を制御する。すなわちカメラ映像制御部６４は、カメラ映像制御部６４で生成されるビデオデータの輝度レベルを、画素単位で重み付け加算し、撮像結果の明るさを検出する。なおここでこの画素単位の重み付け加算は、中央重点側光等の測光モードに応じた重み付け加算である。またカメラ映像制御部６４は、この重み付け加算結果をしきい値で判定して撮像結果の明るさを判定し、判定結果をＧＵＩ制御部６３に通知する。なおこの輝度レベルの処理は、画素単位の処理に代えて、一定領域単位で平均輝度レベル等を求めて処理するようにしてもよい。
【００２１】
またカメラ駆動制御部６２は、ユーザーが操作子２０を操作して光学系の制御をマニュアルに設定した場合、操作子２１の操作に応動して絞りを可変する。またカメラ駆動制御部６２は、ユーザーが操作子２０を操作して光学系の制御を自動露光制御に設定した場合、重み付け加算結果が、操作子２３で設定された制御目標値となるように、光学系の絞りを制御する。なおこの自動露光制御において、カメラ駆動制御部６２は、絞り量に加えて、シャッター速度、ビデオデータのゲインを併せて可変する。
【００２２】
カメラ映像制御部６４は、撮像素子６１の出力信号を信号処理して撮像結果のビデオデータをベースバンド制御部６８に出力する。またカメラ映像制御部６４は、撮像結果の輝度レベルを画素単位で集計し、撮像結果における輝度レベルの分布を検出する。なおこの輝度レベルの処理も、画素単位の処理に代えて、一定領域単位で平均輝度レベル等を求めて実行するようにしてもよい。カメラ映像制御部６４は、カメラ駆動制御部６２を介してこの検出結果をＧＵＩ制御部６３に通知する。
【００２３】
マイク６５は、撮影対象の音声を取得して音声信号を出力し、入出力回路６６は、このマイク６５の音声信号を増幅して出力する。ＡＤ／ＤＡ回路６７は、この入出力回路６６から出力される音声信号をアナログディジタル変換回路処理し、オーディオデータをベースバンド制御部６８に出力する。なおこのカメラ一体型ビデオテープレコーダ１は、記録媒体に記録したビデオ信号及びオーディオ信号を再生して外部装置に出力できるように構成され、この場合、ＡＤ／ＤＡ回路６７は、ベースバンド制御部６８から出力されるオーディオデータをアナログ信号に変換して出力し、入出力回路６６は、このアナログ信号を外部装置に出力する。
【００２４】
ベースバンド制御部６８は、ＧＵＩ制御部６３の制御に従って動作を切り換え、撮像結果の記録時、カメラ映像制御部６４から出力されるビデオデータ、ＡＤ／ＤＡ回路６７から出力されるオーディオデータを処理し、ＨＤＶコーデック６９又はテープデッキ制御部７２に出力する。また表示部１９、電子ビューファインダー（ＥＶＦ）３で撮像結果のモニタ画像を表示する。このときベースバンド制御部６８は、ＧＵＩ制御部６３からヒストグラム表示が指示されると、ＧＵＩ制御部６３の指示に従ってヒストグラム表示を実行する。
【００２５】
またベースバンド制御部６８は、ユーザーが操作子３９を操作してゼブラ表示を指示した場合、ＧＵＩ制御部６３の制御に従って、操作子３９で設定されたゼブラ表示の輝度レベルに応じた判定基準用のしきい値を設定する。またカメラ駆動制御部６２は、この判定基準値で、カメラ映像制御部６４で生成されるビデオデータの輝度レベルを画素単位で判定し、ゼブラ表示する領域を検出する。なおここでこの判定基準値は、輝度レベル７０〔％〕の領域を斜め縞模様表示するゼブラ表示では、輝度レベル（７０−２．５）〔％〕及び（７０＋２．５）〔％〕の２つの基準値であり、ベースバンド制御部６８は、輝度レベルがこの２つの判定基準値の間の領域を斜め縞模様に置き換えてモニタ画像を表示し、ゼブラ表示の処理を実行する。これに対してこの判定基準値は、輝度レベル１００〔％〕以上の領域を斜め縞模様表示するゼブラ表示では、輝度レベル１００〔％〕であり、ベースバンド制御部６８は、輝度レベルがこの判定基準値以上の領域を斜め縞模様に置き換えてモニタ画像を表示し、ゼブラ表示の処理を実行する。
【００２６】
またベースバンド制御部６８は、モニタ画像を表示している状態で、ＧＵＩ制御部６３により指示された各種ステータスをオンスクリーン表示する。またＧＵＩ制御部６３からメニュー画面の表示が指示されると、表示部１９、電子ビューファインダー３にメニュー画面を表示する。
【００２７】
これに対して撮像結果を再生してモニタする場合、ＨＤＶコーデック６９又はテープデッキ制御部７２からビデオデータ及びオーディオデータを取得し、取得したビデオデータのモニタ画像を表示部１９、電子ビューファインダー３で表示する。またこの場合も、モニタ画像を表示している状態で、ＧＵＩ制御部６３により指示されたステータスをオンスクリーン表示し、さらにはメニュー画面を表示する。
【００２８】
ＨＤＶコーデック６９は、撮像結果をＨＤＴＶフォーマットで記録する場合、ベースバンド制御部６８から出力されるビデオデータをＨＤＴＶのビデオデータに変換し、ベースバンド制御部６８から出力されるオーディオデータと共に符号化復号部７１に出力する。これに対して撮像結果を再生してモニタする場合にあって、この撮像結果がＨＤＴＶフォーマットで記録されている場合、符号化復号部７１から出力されるビデオデータ及びオーディオデータを入力し、記録時とは逆に処理してベースバンド制御部６８に出力する。
【００２９】
ＤＶコーデック７０は、撮像結果をＤＶフォーマットで記録する場合、ベースバンド制御部６８から出力されるビデオデータをＤＶフォーマットのビデオデータに変換し、ベースバンド制御部６８から出力されるオーディオデータと共にテープデッキ制御部７２に出力する。これに対して撮像結果を再生してモニタする場合にあって、この撮像結果がＤＶフォーマットで記録されている場合、テープデッキ制御部７２から出力されるビデオデータ及びオーディオデータを入力し、記録時とは逆に処理してベースバンド制御部６８に出力する。
【００３０】
符号化復号部７１は、撮像結果をＨＤＴＶフォーマットで記録する場合、ＨＤＶコーデック６９から出力されるビデオデータ及びオーディオデータを符号化処理してテープデッキ制御部７２に出力する。これに対して撮像結果を再生してモニタする場合にあって、この撮像結果がＨＤＶフォーマットで記録されている場合、テープデッキ制御部７２から出力されるビットストリームをビデオデータ及びオーディオデータに復号し、ベースバンド制御部６８に出力する。
【００３１】
テープデッキ制御部７２は、メカ駆動制御部７３の制御により磁気テープ走行系の動作を制御し、符号化復号部７１、ＤＶコーデック７０の出力データを順次磁気テープに記録する。また再生時、磁気テープからビデオデータ及びオーディオデータを再生して符号化復号部７１又はＤＶコーデック７０に出力する。
【００３２】
従ってこのカメラ一体型ビデオテープレコーダ１では、撮像素子６１で取得した撮像結果をベースバンド制御部６８で処理して表示部１９、ＥＶＦ３で表示し、撮像結果のモニタ画像を表示する。またこの撮像結果をＨＤＴＶフォーマットで記録する場合には、ベースバンド制御部６８から出力されるビデオデータ及びオーディオデータをＨＤＶコーデック６９、符号化復号部７１、テープデッキ制御部７２で順次処理して磁気テープに記録する。また撮像結果をＤＶフォーマットで記録する場合には、ベースバンド制御部６８から出力されるビデオデータ及びオーディオデータをＤＶコーデック７０、テープデッキ制御部７２で順次処理して磁気テープに記録する。
【００３３】
また磁気テープに記録された撮像結果を再生してモニタする場合に、この撮像結果がＨＤＴＶフォーマットで記録されている場合には、テープデッキ制御部７２、符号化復号部７１、ＨＤＶコーデック６９で磁気テープ出力を順次処理して元のビデオデータ及びオーディオデータを再生し、この再生したビデオデータをベースバンド制御部６８で処理して表示部１９、ＥＶＦ３で表示する。また撮像結果がＤＶフォーマットで記録されている場合には、テープデッキ制御部７２、ＤＶコーデック７０で磁気テープ出力を順次処理して元のビデオデータ及びオーディオデータを再生し、この再生したビデオデータをベースバンド制御部６８で処理して表示部１９、ＥＶＦ３で表示する。
【００３４】
ＬＩＮＫ制御部７４は、ＩＥＥＥ１１２４の入出力回路であり、外部装置が接続されると、メカ駆動制御部７３の制御によりこの外部装置との間で接続を確立し、種々のデータを入出力する。また外部装置との間でビデオデータ及びオーディオデータを入出力し、この入出力するビデオデータのフォーマットに応じて、テープデッキ制御部７２、符号化復号部７１、ＤＶコーデック７０との間で、外部装置との間で入出力するビデオデータ及びオーディオデータを送受する。
【００３５】
メカ駆動制御部７３は、このカメラ一体型ビデオテープレコーダ１の記録再生系を制御する制御回路であり、ＧＵＩ制御部６３の制御により各部を制御する。
【００３６】
ＧＵＩ制御部６３は、図示しないメモリに記録したプログラムを実行する演算処理手段であり、カメラ駆動制御部６２、メカ駆動制御部７３を介してこのカメラ一体型ビデオテープレコーダ１全体の動作を制御する。従ってこのカメラ一体型ビデオテープレコーダ１において、このＧＵＩ制御部６３が実行するプログラムは、事前に、このカメラ一体型ビデオテープレコーダ１にインストールされて提供されるものの、これに代えて光ディスク、磁気ディスク、メモリカード等の記録媒体に記録して提供するようにしてもよく、インターネット等のネットワークを介したダウンロードにより提供するようにしてもよい。
【００３７】
すなわちＧＵＩ制御部６３は、操作子９の操作に応動してメニュー画面を表示部１９、電子ビューファインダー３で表示し、このメニュー画面におけるメニューの選択により、各部の設定を受け付ける。ここでこのメニュー画面における設定の受け付けは、例えばヒストグラム表示の有無、このヒストグラム表示におけるマーカーの表示／非表示、マーカーの色彩、制御目標値の表示等である。
【００３８】
これに対してＧＵＩ制御部６３は、操作子１３の操作により撮像結果を取得し、表示部１９、電子ビューファインダー３でモニタ画像を表示する。このときＧＵＩ制御部６３は、メニュー画面の設定によりユーザーがヒストグラム表示を指示した場合、ヒストグラム表示をベースバンド制御部６８に指示する。
【００３９】
すなわちこの場合、ＧＵＩ制御部６３は、図１（Ａ）に示すように、カメラ駆動制御部６２を介してカメラ映像制御部６４から通知される輝度レベルの分布検出結果に基づいて、横軸を輝度レベルに設定したヒストグラムを画像合成し、モニタ画像上でのこのヒストグラム８０の表示をベースバンド制御部６８に指示する。なおこの図１（Ａ）において、３１６ｍｉｎは、バッテリ残量であり、００：１０：２２：１７は、タイムコードである。またＣＨ１、ＣＨ２は、それぞれチャンネル１及び２のオーディオデータの信号レベル表示である。
【００４０】
またＧＵＩ制御部６３は、撮像素子６１で取得した撮像結果のモニタ画像を表示している際に、ユーザーが操作子３９を操作してゼブラ表示を指示すると、ベースバンド制御部６８にゼブラ表示を指示する。このときＧＵ１制御部６３は、表示部１９、電子ビューファインダー３でヒストグラム表示している場合にあって、メニュー画面の設定により事前にユーザーがマーカーの表示を指示している場合、ヒストグラム上において、ゼブラ表示で斜め縞模様表示する輝度レベルを特定可能にマーカーＭを表示する。より具体的に、この実施例では、このマーカーＭが、ヒストグラム８０とは異なる色彩により、ヒストグラム８０の上端まで延長する棒線により形成される。なおＧＵＩ制御部６３は、このマーカーＭの色彩等の設定をメニュー画面で受け付けることになる。
【００４１】
すなわち図１（Ｂ）に示すように、ユーザーが輝度レベル７０〔％〕のゼブラ表示を指示した場合、ヒストグラム８０上で輝度レベル７０〔％〕の位置に、マーカーＭを表示する。これに対してユーザーが輝度レベル１００〔％〕以上のゼブラ表示を指示した場合、図４に示すように、ヒストグラム８０上で輝度レベル１００〔％〕の位置に、マーカーＭを表示する。
【００４２】
これに対してユーザーが制御目標値の表示を指示している場合にあって、自動露光制御により絞りを制御する場合、この自動露光制御の目標値をヒストグラム上で特定できるようにマーカーを表示する。具体的に、この実施例では、図４について上述したマーカーＭと同一形状であって、異なる色彩により制御目標のマーカーを表示する。従ってＧＵＩ制御部６３は、ユーザーが操作子を操作してこの自動露光制御の目標値を可変すると、ヒストグラム上でこの目標値を示すマーカーの位置を移動させることになる。
【００４３】
またＧＵＩ制御部６３は、カメラ映像制御部６４から出力される明るさの判定結果に基づいて、自動絞り制御、マニュアル操作による絞り制御において、撮像結果の明るさが不足している場合、ヒストグラム表示を切り換え、撮像結果の明るさが不足していることをユーザーに通知する。ここでこの実施例において、このヒストグラム表示の切り換えは、撮像結果の明るさが不足している場合、ヒストグラム表示の輝度レベルを低下させて実行される。なおこの場合に、ゼブラ表示の輝度レベルを示すマーカーＭ、制御目標値を示すマーカーを表示している場合には、このマーカーの色彩を例えば赤色に切り換える。
【００４４】
この状態で、操作子１２が操作されると、メニュー画面でユーザーが設定したフォーマットでこの撮像結果を磁気テープに記録する。またＧＵＩ制御部６３は、再生に関する操作子３０〜３４が操作されると、これらの操作子３０〜３４の操作に応動して各部の動作を制御し、磁気テープに記録された撮像結果を再生してモニタ画像を表示する。
【００４５】
（２）実施例の動作
以上の構成において、このカメラ一体型ビデオテープレコーダ１では、撮像素子６１で得られた撮像結果がカメラ映像制御部６４で処理された後、ベースバンド制御部６８を介して表示部１９、電子ビューファインダー３で表示され、撮像結果のモニタ画像が表示される（図２及び図３）。この撮像結果は、ユーザーによる操作子の操作に応動してテープデッキ制御部７２に出力されて磁気テープに記録される。また再生処理に関する操作子３０〜３４等の操作に応動して、磁気テープに記録された撮像結果がテープデッキ制御部７２で再生され、符号化復号部７１、ＨＤＶコーデック６９で順次処理されて、又はＤＶコーデック７０で処理されて、ベースバンド制御部６８に入力され、表示部１９、電子ビューファインダー３でモニタ画像が表示される。
【００４６】
このようにして記録再生する撮像結果は、撮像素子６１で取得された後、カメラ映像制御部６４で処理する際に、カメラ駆動制御部６２で明るさが検出され、ユーザーが自動露光制御を指示した場合には、この明るさ検出結果が目標値になるように、光学系の絞り等が制御される。これに対してユーザーがマニュアル操作を指示した場合には、ユーザーによる操作子２１の操作に応じた絞り量で撮像結果が取得される。
【００４７】
また撮像結果は、カメラ映像制御部６４において、画素単位で輝度レベルが集計されて輝度レベルの分布が検出され、ユーザーの指示によりヒストグラムを表示する場合には、この分布検出結果に基づいて、ＧＵＩ制御部６３でヒストグラムの画像が合成され、この画像合成されたヒストグラムが表示部１９、電子ビューファインダー３で表示される。
【００４８】
またベースバンド制御部６８において、ユーザーによるゼブラ表示の指示に従って判定基準値が生成され、撮像結果は、この判定基準値によって輝度レベルが順次判定され、ユーザーにより指示された特定輝度レベルの領域が検出される。撮像結果は、ユーザーがゼブラ表示を指示した場合には、この特定輝度レベルの領域が斜め縞模様の特定パターンに置き換えられてモニタ画像が表示される。
【００４９】
従ってこの実施例のカメラ一体型ビデオテープレコーダ１では、従来の撮像装置と同様に、必要に応じてヒストグラム表示、ゼブラ表示で露光制御の状態を確認して所望する被写体を撮影することができる。
【００５０】
すなわち例えば人物のズームアップ映像を自動露光制御で撮影している場合には、ゼブラ表示で輝度レベル７０〔％〕の領域を斜め縞模様で表示するようにして、人物の顔がこの斜め縞模様に置き換わって表示されていることをモニタ画像で確認して、適切な露光を確認することができる。またマニュアルによる絞り制御では、人物の顔がこの斜め縞模様に置き換わって表示されるように絞りを可変して、適正露光で人物の映像を取得することができる。また輝度レベル１００〔％〕以上の領域を斜め縞模様で表示すれば、白飛びしている部位を簡易に判断することができる。
【００５１】
これに対してヒストグラム表示するようにして、輝度レベルの高い側に分布が偏っている場合には、全体的に白飛び気味の映像であると判断することができ、またこれとは逆に、輝度レベルの低い側に分布が偏っている場合には、全体的に黒つぶれ気味の映像であること判断することができる。
【００５２】
この実施例では、ユーザーの指示によりこれらゼブラ表示とヒストグラム表示を同時に実行するように構成され、これによりゼブラ表示のみの場合、ヒストグラム表示のみの場合に比して、格段的に多くの露光制御に関する情報をユーザーに提供することができる。
【００５３】
しかしながら単にゼブラ表示とヒストグラム表示を同時に実行したのでは、露光制御の確認方法を単に２種類提供することに留まり、却ってユーザーが混乱する恐れもある。このように２種類の確認方法を提供する以上、これら２種類の確認方法を有機的に結び付けて、一段と有意義な露光制御の情報を提供することができれば、一段とユーザーの使い勝手を向上できると考えられる。
【００５４】
そこでこの実施例では、ゼブラ表示とヒストグラム表示を同時に実行する場合、ゼブラ表示により斜め縞模様を領域の輝度レベルをヒストグラム８０上で確認できるように、マーカーＭが表示される（図１（Ｂ））。これによりこの実施例では、２つの露光制御の確認方法を有機的に結び付けて、一段と有意義な露光制御の情報を提供することができ、またユーザーの混乱も有効に回避することができる。
【００５５】
すなわち例えば輝度レベル７０〔％〕でゼブラ表示した場合には、ヒストグラム上でマーカーの位置を確認して、撮像結果で、輝度レベル７０〔％〕以上の領域の占める面積と、輝度レベル７０〔％〕未満の領域の占める面積とを視覚的に簡易かつ確実に把握することができる。従ってこの各領域の面積に応じて、絞りを微調整して、一段と高品位の撮像結果を得ることができる。
【００５６】
また例えば輝度レベル１００〔％〕でゼブラ表示した場合、白飛びしている領域の面積をヒストグラム上で簡易に確認することができ、この場合も、この面積の確認により絞りを微調整して一段と高品位の撮像結果を得ることができる。
【００５７】
またさらにこの実施例では、このマーカーの表示がメニュー画面の設定により切り換えられ、これによってもマーカーにより確認する際のユーザーの使い勝手が向上される。
【００５８】
これに対してメニュー画面においてユーザーが目標値の表示を指示した後、自動絞り制御を選択した場合、ゼブラ表示に係る輝度レベルに代えて、露光制御の目標値をヒストグラム上で特定可能にマーカーが表示される。
【００５９】
すなわち自動露光制御により所望の被写体を撮影する場合でも、シーンによっては、暗めにしたり、明るめにしたりして撮像結果を取得したい場合がある。この場合に、カメラ一体型ビデオテープレコーダ１では、自動露光制御の目標値を可変することになるが、実際上、目標値を可変しても、撮像結果の明るさがどの程度変化するのかについては、ある程度、経験を積まなければ正確には把握できない。
【００６０】
しかしながらこの実施例のように、露光制御の目標値をヒストグラム上で特定可能にマーカーを表示すれば、例えば自動露光制御の目標値を１段階可変して、どの程度、撮像結果の明るさが変化するのか、従来に比して容易に把握することが可能となる。従ってこの実施例では、意図した明るさで撮像結果を取得することが可能となり、一段と高品位の撮像結果を得ることができる。
【００６１】
また自動露光制御、マニュアルの露光制御において、撮像結果の明るさが不足している場合にはヒストグラム表示の色彩が変化し、簡易な構成により光量不足をユーザーに通知して撮影の失敗を未然に防止することができる。
【００６２】
（３）実施例の効果
以上の構成によれば、ゼブラ表示で特定パターンに置き換える輝度レベルをヒストグラム上で特定可能にマーカーを表示することにより、ユーザーの混乱を有効に回避して、ヒストグラム表示とゼブラ表示とを同時に実行することによる有意義な情報をユーザーに提供する。
【００６３】
またこの特定の輝度レベルをユーザーの指示に従って切り換えることにより、必要に応じて種々に撮像結果を確認することができる。
【００６４】
またマーカーの表示をユーザーの指示に応じて切り換えることにより、ユーザーの使い勝手を向上することができる。
【００６５】
また自動露光制御の制御目標値をヒストグラム上で特定可能に、目標値のマーカーを表示することにより、絞りの可変操作による撮像結果の明るさの確認を一段と容易にして使い勝手を向上することができる。
【００６６】
すなわちユーザーの指示に応じて目標値を切り換えることにより、種々に目標値を切り換えて、目標値を切り換えた際の撮像結果の明るさの確認を一段と容易にして使い勝手を向上することができる。
【００６７】
また撮像結果の明るさが所定の基準値に満たない場合、ヒストグラムの表示の色を切り換えることにより、簡易な構成で光量不足をユーザーに通知して撮影の失敗を未然に防止することができる。
【実施例２】
【００６８】
なお上述の実施例においては、ゼブラ表示する領域の中心輝度レベル、下限の輝度レベルを確認できるようにマーカーを表示する場合について述べたが、本発明はこれに限らず、例えば図５に示すように、ゼブラ表示する領域の下限の輝度レベル、上限の輝度レベルをそれぞれマーカーＭ１、Ｍ２で表示するようにしてもよい。
【００６９】
また上述の実施例においては、ゼブラ表示する特定輝度レベルに対応するマーカー、自動露光制御の制御目標値に対応するマーカーを選択的に表示する場合について述べたが、本発明はこれに限らず、これらのマーカーを例えば色彩等により区別可能として同時に表示するようにしてもよい。
【００７０】
また上述の実施例においては、棒形状のマーカーを表示する場合について述べたが、本発明はこれに限らず、種々の形状のマーカーを広く適用することができる。
【００７１】
また上述の実施例においては、本発明をカメラ一体型ビデオテープレコーダに適用する場合について述べたが、本発明はこれに限らず、動画、静止画を撮影する種々の撮像装置に広く適用することができる。
【産業上の利用可能性】
【００７２】
本発明は、例えばカメラ一体型ビデオテープレコーダに適用することができる。
【図面の簡単な説明】
【００７３】
【図１】本発明の実施例１のカメラ一体型ビデオテープレコーダにおける表示部の表示を示す平面図である。
【図２】本発明の実施例１のカメラ一体型ビデオテープレコーダを示す正面図、側面図である。
【図３】図２のカメラ一体型ビデオテープレコーダを示すブロック図である。
【図４】図２のカメラ一体型ビデオテープレコーダにおける目標値のマーカーの表示を示す平面図である。
【図５】他の実施例のカメラ一体型ビデオテープレコーダの表示部の表示を示す平面図である。
【符号の説明】
【００７４】
１……カメラ一体型ビデオテープレコーダ、３……電子ビューファインダー、１９……表示部、５〜５１……操作子、６１……撮像素子、６３……ＧＵＩ制御部、７２……テープデッキ部
【図１】
2008060866.tif 000003
【図２】
2008060866.tif 000004
【図３】
2008060866.tif 000005
【図４】
2008060866.tif 000006
【図５】
2008060866.tif 000007
【手続補正書】
【提出日】平成19年7月3日(2007.7.3)
【手続補正１】
【補正対象書類名】特許請求の範囲
【補正対象項目名】全文
【補正方法】変更
【補正の内容】
【特許請求の範囲】
【請求項１】
撮像結果を取得する撮像部と、
前記撮像結果のモニタ画像を表示する表示部と、
前記撮像結果における輝度分布を検出する輝度分布検出部と、
前記撮像結果の輝度レベルを判定する輝度レベル判定部と、
ユーザーの指示に応じて、前記輝度分布検出部の検出結果に基づいて、前記撮像結果の輝度分布を示すヒストグラムを前記表示部で表示すると共に、前記輝度レベル判定部の判定結果に基づいて、前記撮像結果における特定の輝度レベルの領域を特定のパターンに置き換えて、前記表示部で前記モニタ画像を表示する制御部とを有し、
前記制御部は、
前記特定の輝度レベルを前記ヒストグラム上で特定可能に、マーカーを表示する
ことを特徴とする撮像装置。
【請求項２】
前記制御部は、
ユーザーの指示に従って前記特定の輝度レベルを切り換える
ことを特徴とする請求項１に記載の撮像装置。
【請求項３】
前記制御部は、
前記マーカーの表示をユーザーの指示に応じて切り換える
ことを特徴とする請求項１に記載の撮像装置。
【請求項４】
前記撮像結果の明るさを検出し、明るさ検出結果が所定の目標値になるように、前記撮像部を自動絞り制御する絞り制御部を有し、
前記制御部は、
前記ユーザーの指示により、前記目標値を前記ヒストグラム上で特定可能に、目標値のマーカーを表示する
ことを特徴とする請求項１に記載の撮像装置。
【請求項５】
前記絞り制御部は、
ユーザーの指示に応じて前記目標値を切り換える
ことを特徴とする請求項４に記載の撮像装置。
【請求項６】
前記制御部は、
前記撮像結果の明るさが所定の基準値に満たない場合、前記ヒストグラムの表示の色を切り換える
ことを特徴とする請求項１に記載の撮像装置。
【請求項７】
撮像部で取得した撮像結果を表示部で表示する撮像装置の制御方法において、
前記撮像結果における輝度分布を検出する輝度分布検出ステップと、
前記撮像結果の輝度レベルを判定する輝度レベル判定ステップと、
ユーザーの指示に応じて、前記輝度分布検出ステップの検出結果に基づいて、前記撮像結果の輝度分布を示すヒストグラムを前記表示部で表示すると共に、前記輝度レベル判定ステップの判定結果に基づいて、前記撮像結果における特定の輝度レベルの領域を特定のパターンに置き換えて、前記表示部で前記モニタ画像を表示する表示ステップとを有し、
前記表示ステップは、
前記特定の輝度レベルを前記ヒストグラム上で特定可能に、マーカーを表示する
ことを特徴とする撮像装置の制御方法。
【請求項８】
撮像部で取得した撮像結果を表示部で表示する撮像装置の制御方法のプログラムにおいて、
前記撮像結果における輝度分布を検出する輝度分布検出ステップと、
前記撮像結果の輝度レベルを判定する輝度レベル判定ステップと、
ユーザーの指示に応じて、前記輝度分布検出ステップの検出結果に基づいて、前記撮像結果の輝度分布を示すヒストグラムを前記表示部で表示すると共に、前記輝度レベル判定ステップの判定結果に基づいて、前記撮像結果における特定の輝度レベルの領域を特定のパターンに置き換えて、前記表示部で前記モニタ画像を表示する表示ステップとを有し、
前記表示ステップは、
前記特定の輝度レベルを前記ヒストグラム上で特定可能に、マーカーを表示する
ことを特徴とする撮像装置の制御方法のプログラム。
【手続補正２】
【補正対象書類名】明細書
【補正対象項目名】００３０
【補正方法】変更
【補正の内容】
【００３０】
符号化復号部７１は、撮像結果をＨＤＴＶフォーマットで記録する場合、ＨＤＶコーデック６９から出力されるビデオデータ及びオーディオデータを符号化処理してテープデッキ制御部７２に出力する。これに対して撮像結果を再生してモニタする場合にあって、この撮像結果がＨＤＴＶフォーマットで記録されている場合、テープデッキ制御部７２から出力されるビットストリームをビデオデータ及びオーディオデータに復号し、ＨＤＶコーデック６９に出力する。
【手続補正３】
【補正対象書類名】明細書
【補正対象項目名】００３４
【補正方法】変更
【補正の内容】
【００３４】
ＬＩＮＫ制御部７４は、ＩＥＥＥ１３９４の入出力回路であり、外部装置が接続されると、メカ駆動制御部７３の制御によりこの外部装置との間で接続を確立し、種々のデータを入出力する。また外部装置との間でビデオデータ及びオーディオデータを入出力し、この入出力するビデオデータのフォーマットに応じて、テープデッキ制御部７２、符号化復号部７１、ＤＶコーデック７０との間で、外部装置との間で入出力するビデオデータ及びオーディオデータを送受する。
【手続補正４】
【補正対象書類名】明細書
【補正対象項目名】００４０
【補正方法】変更
【補正の内容】
【００４０】
またＧＵＩ制御部６３は、撮像素子６１で取得した撮像結果のモニタ画像を表示している際に、ユーザーが操作子３９を操作してゼブラ表示を指示すると、ベースバンド制御部６８にゼブラ表示を指示する。このときＧＵＩ制御部６３は、表示部１９、電子ビューファインダー３でヒストグラム表示している場合にあって、メニュー画面の設定により事前にユーザーがマーカーの表示を指示している場合、ヒストグラム上において、ゼブラ表示で斜め縞模様表示する輝度レベルを特定可能にマーカーＭを表示する。より具体的に、この実施例では、このマーカーＭが、ヒストグラム８０とは異なる色彩により、ヒストグラム８０の上端まで延長する棒線により形成される。なおＧＵＩ制御部６３は、このマーカーＭの色彩等の設定をメニュー画面で受け付けることになる。
【手続補正５】
【補正対象書類名】明細書
【補正対象項目名】００５１
【補正方法】変更
【補正の内容】
【００５１】
これに対してヒストグラム表示するようにして、輝度レベルの高い側に分布が偏っている場合には、全体的に白飛び気味の映像であると判断することができ、またこれとは逆に、輝度レベルの低い側に分布が偏っている場合には、全体的に黒つぶれ気味の映像であると判断することができる。
【手続補正書】
【提出日】平成19年11月26日(2007.11.26)
【手続補正１】
【補正対象書類名】特許請求の範囲
【補正対象項目名】全文
【補正方法】変更
【補正の内容】
【特許請求の範囲】
【請求項１】
撮像結果を取得する撮像部と、
前記撮像結果のモニタ画像を表示する表示部と、
前記撮像結果における輝度分布を検出する輝度分布検出部と、
特定パターン表示の指示値を切り換える特定パターン表示の操作子と、
前記指示値によって特定される判定基準値で、前記撮像結果の輝度レベルを画素毎に判定し、前記判定基準値で決まる特定輝度レベルの画素を検出する輝度レベル判定部と、
ユーザーの指示に応じて、前記輝度分布検出部の検出結果に基づいて、前記撮像結果の輝度分布を示すヒストグラムを前記表示部で表示すると共に、前記輝度レベル判定部の判定結果に基づいて、前記特定輝度レベルの画素の表示を特定のパターンの表示に置き換えて、前記表示部で前記モニタ画像を表示する制御部とを有し、
前記制御部は、
前記ヒストグラム上の前記指示値の箇所に、前記指示値を示すマーカーを表示し、
前記特定パターン表示の操作子の操作による前記特定パターン表示の指示値の切り換えに応動して、前記特定のパターンの表示に置き換える画素を切り換えると共に、前記マーカーの表示箇所を切り換える
ことを特徴とする撮像装置。
【請求項２】
前記特定パターン表示の操作子によって切り換えられる前記特定パターン表示の指示値が、白飛び検出用の指示値と適正露光領域検出用の指示値とであり、
前記特定パターン表示の操作子によって前記特定パターン表示の指示値が前記白飛び検出用の指示値に切り換えられると、
前記輝度レベル判定部は、
前記判定基準値を輝度レベル１００〔％〕に設定し、輝度レベルが１００〔％〕以上の画素を検出し、
前記制御部は、
前記輝度レベルが１００〔％〕以上の画素の表示を前記特定パターンの表示に置き換えて表示すると共に、前記ヒストグラム上の前記白飛び検出用の指示値の箇所に前記マーカーを表示し、
前記特定パターン表示の操作子によって前記特定パターン表示の指示値が前記適正露光領域検出用の指示値に切り換えられると、
前記輝度レベル判定部は、
前記適正露光領域検出用の指示値を中心値とした上限値及び下限値を前記判定基準値に設定し、輝度レベルが前記上限値及び下限値の間の画素を検出し、
前記制御部は、
前記輝度レベルが前記上限値及び下限値の間の画素の表示を前記特定パターンの表示に置き換えて表示すると共に、前記ヒストグラム上の前記適正露光領域検出用の指示値の箇所に前記マーカーを表示する
ことを特徴とする請求項１に記載の撮像装置。
【請求項３】
前記制御部は、
前記マーカーの表示をユーザーの指示に応じて切り換える
ことを特徴とする請求項１に記載の撮像装置。
【請求項４】
前記撮像結果の明るさを検出し、明るさ検出結果が露光制御の制御目標値になるように、前記撮像部を自動絞り制御する絞り制御部を有し、
前記制御部は、
前記ユーザーの指示により、前記ヒストグラム上の前記露光制御の制御目標値の箇所に、制御目標値を示すマーカーを表示する
ことを特徴とする請求項１に記載の撮像装置。
【請求項５】
前記絞り制御部は、
ユーザーの指示に応じて前記露光制御の制御目標値を切り換える
ことを特徴とする請求項４に記載の撮像装置。
【請求項６】
前記制御部は、
前記撮像結果の明るさが所定の基準値に満たない場合、前記ヒストグラムの表示の色を切り換える
ことを特徴とする請求項１に記載の撮像装置。
【請求項７】
撮像部で取得した撮像結果を表示部で表示する撮像装置の制御方法において、
前記撮像結果における輝度分布を検出する輝度分布検出ステップと、
特定パターン表示の指示値の切り換えを入力する指示値入力ステップと、
前記指示値によって特定される判定基準値で、前記撮像結果の輝度レベルを画素毎に判定し、前記判定基準値で決まる特定輝度レベルの画素を検出する輝度レベル判定ステップと、
ユーザーの指示に応じて、前記輝度分布検出ステップの検出結果に基づいて、前記撮像結果の輝度分布を示すヒストグラムを前記表示部で表示すると共に、前記輝度レベル判定ステップの判定結果に基づいて、前記特定輝度レベルの画素の表示を特定のパターンの表示に置き換えて、前記表示部で前記モニタ画像を表示する表示ステップとを有し、
前記表示ステップは、
前記ヒストグラム上の前記指示値の箇所に、前記指示値を示すマーカーを表示し、
前記指示値入力ステップにおける前記特定パターン表示の指示値の切り換えに応動して、前記特定のパターンの表示に置き換える画素を切り換えると共に、前記マーカーの表示箇所を切り換える
ことを特徴とする撮像装置の制御方法。
【請求項８】
撮像部で取得した撮像結果を表示部で表示する撮像装置の制御方法のプログラムにおいて、
前記撮像結果における輝度分布を検出する輝度分布検出ステップと、
特定パターン表示の指示値の切り換えを入力する指示値入力ステップと、
前記指示値によって特定される判定基準値で、前記撮像結果の輝度レベルを画素毎に判定し、前記判定基準値で決まる特定輝度レベルの画素を検出する輝度レベル判定ステップと、
ユーザーの指示に応じて、前記輝度分布検出ステップの検出結果に基づいて、前記撮像結果の輝度分布を示すヒストグラムを前記表示部で表示すると共に、前記輝度レベル判定ステップの判定結果に基づいて、前記特定輝度レベルの画素の表示を特定のパターンの表示に置き換えて、前記表示部で前記モニタ画像を表示する表示ステップとを有し、
前記表示ステップは、
前記ヒストグラム上の前記指示値の箇所に、前記指示値を示すマーカーを表示し、
前記指示値入力ステップにおける前記特定パターン表示の指示値の切り換えに応動して、前記特定のパターンの表示に置き換える画素を切り換えると共に、前記マーカーの表示箇所を切り換える
ことを特徴とする撮像装置の制御方法のプログラム。
【手続補正２】
【補正対象書類名】明細書
【補正対象項目名】０００９
【補正方法】変更
【補正の内容】
【０００９】
上記の課題を解決するため請求項１の発明は、撮像装置に適用して、撮像結果を取得する撮像部と、前記撮像結果のモニタ画像を表示する表示部と、前記撮像結果における輝度分布を検出する輝度分布検出部と、ゼブラ表示の指示値を切り換えるゼブラ表示の操作子と、前記指示値によって特定される判定基準値で、前記撮像結果の輝度レベルを画素毎に判定し、前記判定基準値で決まる特定輝度レベルの画素を検出する輝度レベル判定部と、ユーザーの指示に応じて、前記輝度分布検出部の検出結果に基づいて、前記撮像結果の輝度分布を示すヒストグラムを前記表示部で表示すると共に、前記輝度レベル判定部の判定結果に基づいて、前記特定輝度レベルの画素の表示を特定のパターンの表示に置き換えて、前記表示部で前記モニタ画像を表示する制御部とを有し、前記制御部は、前記ヒストグラム上の前記指示値の箇所に、前記指示値を示すマーカーを表示し、前記特定パターン表示の操作子の操作による前記特定パターン表示の指示値の切り換えに応動して、前記特定のパターンの表示に置き換える画素を切り換えると共に、前記マーカーの表示箇所を切り換える。
【手続補正３】
【補正対象書類名】明細書
【補正対象項目名】００１０
【補正方法】変更
【補正の内容】
【００１０】
また請求項７の発明は、撮像部で取得した撮像結果を表示部で表示する撮像装置の制御方法に適用して、前記撮像結果における輝度分布を検出する輝度分布検出ステップと、ゼブラ表示の指示値の切り換えを入力する指示値入力ステップと、前記指示値によって特定される判定基準値で、前記撮像結果の輝度レベルを画素毎に判定し、前記判定基準値で決まる特定輝度レベルの画素を検出する検出する輝度レベル判定ステップと、ユーザーの指示に応じて、前記輝度分布検出ステップの検出結果に基づいて、前記撮像結果の輝度分布を示すヒストグラムを前記表示部で表示すると共に、前記輝度レベル判定ステップの判定結果に基づいて、前記特定輝度レベルの画素の表示を特定のパターンの表示に置き換えて、前記表示部で前記モニタ画像を表示する表示ステップとを有し、前記表示ステップは、前記ヒストグラム上の前記指示値の箇所に、前記指示値を示すマーカーを表示し、前記指示値入力ステップにおける前記ゼブラ表示の指示値の切り換えに応動して、前記特定のパターンの表示に置き換える画素を切り換えると共に、前記マーカーの表示箇所を切り換える。
【手続補正４】
【補正対象書類名】明細書
【補正対象項目名】００１１
【補正方法】変更
【補正の内容】
【００１１】
また請求項８の発明は、撮像部で取得した撮像結果を表示部で表示する撮像装置の制御方法のプログラムに適用して、前記撮像結果における輝度分布を検出する輝度分布検出ステップと、ゼブラ表示の指示値の切り換えを入力する指示値入力ステップと、前記指示値によって特定される判定基準値で、前記撮像結果の輝度レベルを画素毎に判定し、前記判定基準値で決まる特定輝度レベルの画素を検出する輝度レベル判定ステップと、ユーザーの指示に応じて、前記輝度分布検出ステップの検出結果に基づいて、前記撮像結果の輝度分布を示すヒストグラムを前記表示部で表示すると共に、前記輝度レベル判定ステップの判定結果に基づいて、前記特定輝度レベルの画素の表示を特定のパターンの表示に置き換えて、前記表示部で前記モニタ画像を表示する表示ステップとを有し、前記表示ステップは、前記ヒストグラム上の前記指示値の箇所に、前記指示値を示すマーカーを表示し、前記指示値入力ステップにおける前記ゼブラ表示の指示値の切り換えに応動して、前記特定のパターンの表示に置き換える画素を切り換えると共に、前記マーカーの表示箇所を切り換える。
【手続補正５】
【補正対象書類名】明細書
【補正対象項目名】００６８
【補正方法】削除
【補正の内容】
【手続補正６】
【補正対象書類名】明細書
【補正対象項目名】００６９
【補正方法】変更
【補正の内容】
【００６９】
なお上述の実施例においては、ゼブラ表示する特定輝度レベルに対応するマーカー、自動露光制御の制御目標値に対応するマーカーを選択的に表示する場合について述べたが、本発明はこれに限らず、これらのマーカーを例えば色彩等により区別可能として同時に表示するようにしてもよい。